(57)【要約】【課題】バリューの移し替え元及び移し替え先の電子マネーカードを同時に収容し、移し替え元の電子マネーカードにチャージされているバリューを移し替え先の電子マネーカードに移し替える機能を有し、利用者が容易に、かつ、短時間にバリューの移し替えを行うことができ、煩わしく感じることがなく、時間を節約することができるようにする。【解決手段】電子マネーのバリューをチャージ可能な媒体を取り扱う媒体取扱装置と、表示装置及び入力装置を備える操作装置とを有する自動取引装置１１であって、操作装置の操作によって複数の媒体間でバリューを移し替える取り引きが選択されると、媒体取扱装置が移し替え元及び移し替え先の媒体を同時に収容し、移し替え元の媒体にチャージされているバリューを移し替え先の媒体に移し替える。【選択図】図１
2006350877.tif 000002
【特許請求の範囲】
【請求項１】
（ａ）電子マネーのバリューをチャージ可能な媒体を取り扱う媒体取扱装置と、
（ｂ）表示装置及び入力装置を備える操作装置とを有する自動取引装置であって、
（ｃ）前記操作装置の操作によって複数の媒体間でバリューを移し替える取り引きが選択されると、前記媒体取扱装置が移し替え元及び移し替え先の媒体を同時に収容し、移し替え元の媒体にチャージされているバリューを移し替え先の媒体に移し替えることを特徴とする電子マネーのバリュー移し替え機能付自動取引装置。
【請求項２】
前記媒体取扱装置は、前記移し替え元の媒体が有効期限を経過したものである場合、バリューを移し替える取り引きが終了した後に、前記移し替え元の媒体を回収する請求項１に記載の電子マネーのバリュー移し替え機能付自動取引装置。
【請求項３】
前記媒体は、バリュー値を記憶するＩＣを備えるＩＣカードである請求項１又は２に記載の電子マネーのバリュー移し替え機能付自動取引装置。
【請求項４】
（ａ）電子マネーのバリューをチャージ可能な媒体を取り扱う媒体取扱装置、並びに、表示装置及び入力装置を備える操作装置を備える自動取引装置と、
（ｂ）該自動取引装置に接続され、電子マネーの管理を行う電子マネー管理サーバを備える管理センタとを有し、
（ｃ）前記自動取引装置は、前記操作装置の操作によって複数の媒体間でバリューを移し替える取り引きが選択されると、前記媒体取扱装置が移し替え元及び移し替え先の媒体を同時に収容し、前記管理センタと通信を行って本人確認を行い、移し替え元の媒体にチャージされているバリューを移し替え先の媒体に移し替え、
（ｄ）前記電子マネー管理サーバは電子マネーの管理情報を更新することを特徴とする電子マネーのバリュー移し替え機能付自動取引システム。
【請求項５】
前記媒体取扱装置は、前記移し替え元の媒体が有効期限を経過したものである場合、バリューを移し替える取り引きが終了した後に、前記移し替え元の媒体を回収する請求項４に記載の電子マネーのバリュー移し替え機能付自動取引システム。
【請求項６】
前記媒体はバリュー値を記憶するＩＣを備えるＩＣカードである請求項４又は５に記載の電子マネーのバリュー移し替え機能付自動取引システム。
【発明の詳細な説明】
【技術分野】
【０００１】
本発明は、電子マネーのバリュー移し替え機能付自動取引装置及びシステムに関するものである。
【背景技術】
【０００２】
従来、銀行、信用金庫、郵便局等の金融機関に口座を開設した顧客は、金融機関の支店等に配設されたＡＴＭ（Ａｕｔｏｍａｔｉｃ  Ｔｅｌｌｅｒ  Ｍａｃｈｉｎｅ：現金自動預払機）、ＣＤ（Ｃａｓｈ  Ｄｉｓｐｅｎｓｅｒ：現金自動支払機）等の自動取引装置を操作することによって、入金、出金、通帳記帳、残高照合、振り替え、振り込み、送金、定期性預金設定等の各種金融取引を行うことができるようになっている。
【０００３】
また、近年では、ＩＣチップをプラスチックカードに埋め込んだＩＣカードを管理保存媒体とするＩＣカード型の電子マネーの実用化が進展している。このような電子マネーは、一般にストアバリュー型と呼ばれ、現金、口座預金等と引き替えに発行される電子的価値としてのバリューをＩＣカードに充填（てん）、すなわち、チャージし、財やサービスを購入する際に、その金額に相当するバリューを取引相手に渡すことによって決済を完了する決済手段である。そして、ＩＣカード型のキャッシュカードに電子マネーとしての機能を付加したキャッシュカード兼用の電子マネーカードや、ＩＣカード型のクレジットカードに電子マネーとしての機能を付加したクレジットカード兼用の電子マネーカードが提案されている。さらに、前記自動取引装置を使用して、電子マネーカードにバリューをチャージすることができるシステムが提案されている（例えば、特許文献１参照。）。
【特許文献１】特開平１１−１４３９７６号公報
【発明の開示】
【発明が解決しようとする課題】
【０００４】
しかしながら、前記従来の自動取引装置においては、一方の電子マネーカードから他方の電子マネーカードへのバリューの移し替えを行う機能を備えていないので、利用者は、自動取引装置の操作を重複して行わなければならず、煩わしく感じ、また、長時間費やしてしまう。
【０００５】
図２は従来の自動取引装置におけるバリューの移し替えの動作を示す第１の図、図３は従来の自動取引装置におけるバリューの移し替えの動作を示す第２の図、図４は従来の自動取引装置におけるバリューの移し替えの動作を示す第３の図である。
【０００６】
例えば、電子マネーカードがクレジットカード兼用のものである場合、クレジットカードには有効期限が設定されているので、所定期間毎に更新処理を行う必要がある。その際に、古い電子マネーカードから新しい電子マネーカードへのバリューの移し替えを行う必要がある。また、利用者が複数の電子マネーカードを所持していて、いずれか１枚の電子マネーカードにチャージを集約したい場合も、同様に、バリューの移し替えを行う必要がある。
【０００７】
このような場合、図２に示されるように、利用者は、自動取引装置１０１を操作して、一方の電子マネーカード１０２にチャージされているバリュー１０４を他方の電子マネーカード１０３に移し替える必要がある。しかし、自動取引装置１０１がバリューの移し替えを行う機能を備えていないので、利用者は、まず、図３に示されるように、自動取引装置１０１を操作して、一方の電子マネーカード１０２にチャージされていたバリュー１０４の払い戻しを行い、バリュー１０４に相当する金額の現金１０５を出金する必要がある。続いて、利用者は、図４に示されるように、再び自動取引装置１０１を操作して前記現金１０５を入金し、他方の電子マネーカード１０３に前記現金１０５の金額に相当するバリュー１０４のチャージを行わなくてはならなかった。
【０００８】
もっとも、バリューの移し替えは、自動取引装置を操作しなくても、金融機関の支店等の窓口に依頼して行うこともできる。しかし、その場合、金融機関等のような電子マネーシステムを運用する者の業務負担が増大してしまう。また、窓口の営業時間や設置場所が限定されるので、利用者は不便を感じてしまう。
【０００９】
本発明は、前記従来の自動取引装置の問題点を解決して、バリューの移し替え元及び移し替え先の電子マネーカードを同時に収容し、移し替え元の電子マネーカードにチャージされているバリューを移し替え先の電子マネーカードに移し替える機能を有し、利用者が容易に、かつ、短時間にバリューの移し替えを行うことができ、煩わしく感じることがなく、時間を節約することができる電子マネーのバリュー移し替え機能付自動取引装置及びシステムを提供することを目的とする。
【課題を解決するための手段】
【００１０】
そのために、本発明の電子マネーのバリュー移し替え機能付自動取引装置においては、電子マネーのバリューをチャージ可能な媒体を取り扱う媒体取扱装置と、表示装置及び入力装置を備える操作装置とを有する自動取引装置であって、前記操作装置の操作によって複数の媒体間でバリューを移し替える取り引きが選択されると、前記媒体取扱装置が移し替え元及び移し替え先の媒体を同時に収容し、移し替え元の媒体にチャージされているバリューを移し替え先の媒体に移し替える。
【００１１】
本発明の他の電子マネーのバリュー移し替え機能付自動取引装置においては、さらに、前記媒体取扱装置は、前記移し替え元の媒体が有効期限を経過したものである場合、バリューを移し替える取り引きが終了した後に、前記移し替え元の媒体を回収する。
【００１２】
本発明の更に他の電子マネーのバリュー移し替え機能付自動取引装置においては、さらに、前記媒体は、バリュー値を記憶するＩＣを備えるＩＣカードである。
【００１３】
本発明の電子マネーのバリュー移し替え機能付自動取引システムにおいては、電子マネーのバリューをチャージ可能な媒体を取り扱う媒体取扱装置、並びに、表示装置及び入力装置を備える操作装置を備える自動取引装置と、該自動取引装置に接続され、電子マネーの管理を行う電子マネー管理サーバを備える管理センタとを有し、前記自動取引装置は、前記操作装置の操作によって複数の媒体間でバリューを移し替える取り引きが選択されると、前記媒体取扱装置が移し替え元及び移し替え先の媒体を同時に収容し、前記管理センタと通信を行って本人確認を行い、移し替え元の媒体にチャージされているバリューを移し替え先の媒体に移し替え、前記電子マネー管理サーバは電子マネーの管理情報を更新する。
【００１４】
本発明の他の電子マネーのバリュー移し替え機能付自動取引システムにおいては、さらに、前記媒体取扱装置は、前記移し替え元の媒体が有効期限を経過したものである場合、バリューを移し替える取り引きが終了した後に、前記移し替え元の媒体を回収する。
【００１５】
本発明の更に他の電子マネーのバリュー移し替え機能付自動取引システムにおいては、さらに、前記媒体はバリュー値を記憶するＩＣを備えるＩＣカードである。
【発明の効果】
【００１６】
本発明によれば、電子マネーのバリュー移し替え機能付自動取引装置は、バリューの移し替え元及び移し替え先の電子マネーカードを同時に収容し、移し替え元の電子マネーカードにチャージされているバリューを移し替え先の電子マネーカードに移し替える。そのため、利用者は、容易に、かつ、短時間にバリューの移し替えを行うことができ、煩わしく感じることがなく、時間を節約することができる。
【発明を実施するための最良の形態】
【００１７】
以下、本発明の実施の形態について図面を参照しながら詳細に説明する。
【００１８】
図１は本発明の実施の形態におけるシステムの全体の構成を示す図、図５は本発明の実施の形態における自動取引装置の構成を示す図である。なお、図５（ａ）は自動取引装置の外観を示す斜視図、図５（ｂ）は自動取引装置の構成を示すブロック図である。
【００１９】
図１において、１０は本実施の形態における電子マネーのバリュー移し替え機能を有する自動取引システムであり、コンピュータセンタとしての管理センタ２１、及び、自動取引装置１１ａ〜１１ｇを有する。該自動取引装置１１ａ〜１１ｇは、管理センタ２１における管理対象となるＡＴＭ、ＣＤ等であり、通常複数であるが、その数は任意に設定することができる。なお、前記自動取引装置１１ａ〜１１ｇを統合的に説明する場合には、自動取引装置１１として説明する。
【００２０】
ここで、該自動取引装置１１は、銀行、信用金庫、郵便局等の金融機関の支店等の営業店に設置され、利用者は、前記自動取引装置１１を自分で操作して、入金、出金、通帳記帳、残高照会、振り替え、振り込み、送金、定期性預金設定等の各種金融取引を行うようになっている。
【００２１】
なお、本実施の形態における自動取引装置１１は、ＩＣチップをプラスチックカードに埋め込んだＩＣカードを管理保存媒体とするＩＣカード型の電子マネーを取り扱うことができるものであり、利用者は、前記自動取引装置１１を自分で操作して、電子マネーカードへのバリューのチャージ、電子マネーカードのバリューの払い戻し、電子マネーカードのバリューの移し替え等を行うことができる。なお、電子マネーのバリューの値、すなわち、バリュー値はＩＣに記憶される。このような電子マネーのバリューをチャージ可能な媒体としての電子マネーカードは、ＩＣカード型のキャッシュカードに電子マネーとしての機能を付加したキャッシュカード兼用の電子マネーカードであってもよいし、ＩＣカード型のクレジットカードに電子マネーとしての機能を付加したクレジットカード兼用の電子マネーカードであってもよい。
【００２２】
そして、前記金融機関の本店、支店等、コンビニエンスストア、スーパーマーケット、デパート等の商店の店舗、駅の構内、地下街、市役所、病院等の公共施設、工場、事務所等の私企業、駐車場、道路脇（わき）等の屋外など、いかなる場所に配設されていてもよい。また、前記自動取引装置１１は、他の機能、例えば、買い物券の発行、ポイントカードに蓄積されるポイントの加算、チケット予約機能、商品購入申込機能、クレジットカードの与信確認機能、施設情報案内機能等を有するキオスク端末のような多機能端末であってもよい。なお、前記利用者は、金融機関に自己の口座を開設し、前記金融機関を利用する者であり、一般的には個人であるが、企業、団体等であってもよい。
【００２３】
ここで、前記自動取引装置１１は、ＣＰＵ、ＭＰＵ等の演算手段、半導体メモリ、磁気ディスク等の記憶手段、通信インターフェイス等を備え、プログラムに従って動作を行う一種のコンピュータである。そして、前記自動取引装置１１は、図５に示されるように、テンキー、タッチパネル等の入力装置１７、ＣＲＴ、液晶ディスプレイ、ＬＥＤ（Ｌｉｇｈｔ  Ｅｍｉｔｔｉｎｇ  Ｄｉｏｄｅ）ディスプレイ等の表示装置１６、顧客の音声を入力するためのマイクロホン等の図示されない音声入力装置、音声案内のためのスピーカ等の図示されない音声出力装置等を備える操作装置を有する。なお、利用者が操作を行い易いようにするために、前記表示装置１６は、入力装置１７の機能を兼ね備えるタッチパネルであることが望ましい。
【００２４】
また、前記自動取引装置１１は、キャッシュカード、クレジットカード、電子マネーカード等のカードを取り扱う媒体取扱装置としてのカード処理装置１３を有する。該カード処理装置１３は、口座番号等の情報を格納する記憶手段が磁気ストライプである磁気カード及び前記記憶手段がＩＣであるＩＣカードを取り扱うことができる。なお、前記カード処理装置１３は他の金融機関の発行したキャッシュカードやクレジットカードも取り扱うことができ、更に、デビットカード等の他の種類のカードも取り扱えることが望ましい。そして、前記カード処理装置１３は、カードが挿入及び排出される図示されないカードスロットを備え、該カードスロット内には、前記カードを搬送する搬送装置、及び、カードの磁気ストライプやＩＣに格納された情報の読み取り、上書き、消去等を行うための磁気ヘッド等の記録ヘッドが配設される。すなわち、前記カード処理装置１３は、カードのリーダ・ライタとして機能する。なお、前記カード処理装置１３は、複数枚のカードを同時に収容して取り扱うことができるようになっている。
【００２５】
さらに、前記自動取引装置１１は取引明細票、すなわち、レシートを発行するレシートプリンタ１２を有する。前記レシートは、入金、出金、通帳記帳、残高照会、振り替え、振り込み、送金、定期性預金設定、電子マネーカードへのバリューのチャージ、電子マネーカードのバリューの払い戻し、電子マネーカードのバリューの移し替え等の利用客が行った取り引きに関する情報が印刷される紙片であり、口座番号、取り引きの種類、取引金額等が印刷される。なお、前記レシートは、利用客が希望したときだけに発行されるようにしてもよい。また、前記レシートプリンタ１２は、買い物券等の他の紙片を発行することもできる。そして、発行されたレシートは、前記カードスロットからカードとともに排出される。
【００２６】
また、前記自動取引装置１１は、預金通帳等の通帳に記帳する図示されない通帳記帳装置を有する。ここで、前記通帳は、金融機関が利用者に対して発行した預金通帳等の冊子状の通帳であり、入金、出金、振り替え、振り込み、送金、定期性預金設定等の各種金融取引の記録が印刷されるものである。なお、前記通帳の表紙又は裏表紙には、氏名、口座番号等の情報を格納する磁気ストライプを備える。さらに、前記情報を格納する部材としては、前記磁気ストライプに代えて、通帳に埋め込まれたＩＣであってもよい。
【００２７】
そして、前記通帳記帳装置は、通帳が挿入される通帳スロットを備え、該通帳スロット内には、通帳を搬送する搬送装置、通帳に前記金融取引の記録を印刷する印字ヘッド、及び、通帳の磁気ストライプやＩＣに格納された情報の読み取り、上書き、消去等を行うための磁気ヘッド等の記録ヘッドが配設される。
【００２８】
また、前記自動取引装置１１は、紙幣を取り扱う紙幣入出金機１４及び硬貨を取り扱う硬貨入出金機１５を有する。前記紙幣入出金機１４及び硬貨入出金機１５は、入金、電子マネーカードへのバリューのチャージ等の取り引きにおいて利用者が入金した現金を受け取り、カウント、すなわち、計数するとともに、出金、電子マネーカードのバリューの払い戻し等の取り引きにおいて所定金額の現金を現金受取口から払い出す。なお、該現金受取口には開閉可能なシャッタが配設され、該シャッタは、現金を払い出す時に開くようになっている。
【００２９】
さらに、前記自動取引装置１１は、管理センタ２１と通信を行うための通信装置１８を有する。該通信装置１８は、例えば、ルータ等であり、図１に示されるようにな通信ネットワーク３１及び３２を介して、管理センタ２１との間でデータの送受信を行う。
【００３０】
一方、前記管理センタ２１は、金融機関における勘定系の上位装置としてのホストコンピュータ２２、該ホストコンピュータ２２に対して前処理を行うフロントエンドプロセッサ２３、前記自動取引装置１１の動作を監視する自動取引装置監視サーバ２４、管理センタ２１のオペレータが操作して前記自動取引装置１１の動作を監視する自動取引装置監視端末２５、及び、電子マネーの管理を行う電子マネー管理サーバ２６を有する。
【００３１】
前記ホストコンピュータ２２は、金融機関におけるコンピュータシステム内に構築され、ＣＰＵ、ＭＰＵ等の演算手段、半導体メモリ、磁気ディスク等の記憶手段、通信インターフェイス等を備え、プログラムに従って動作を行い、通信ネットワーク３１及び３２を介して自動取引装置１１と通信を行い、前記金融機関に開設された口座に関する各種金融取引を処理するようになっている。なお、前記ホストコンピュータ２２は、大型の汎（はん）用コンピュータのような単独のコンピュータによって構成されるものであってもよいし、分散型サーバのように複数のコンピュータを有機的に結合したものであってもよいし、大型のコンピュータ内に構築される複数のシステムの中の一つであってもよい。
【００３２】
そして、前記フロントエンドプロセッサ２３は、前記ホストコンピュータ２２に接続された、いわゆる、ＦＥＰ（Ｆｒｏｎｔ  Ｅｎｄ  Ｐｒｏｃｅｓｓｏｒ）であり、例えば、データ処理に比べて速度の遅いデータ入出力処理をホストコンピュータ２２から切り離して、回線制御や同期維持、エラーチェックなどの通信制御とデータ形式変換を行う。これにより、前記ホストコンピュータ２２は、通信に関する負荷が軽減されて、データ処理に専念することができる。
【００３３】
また、前記自動取引装置監視サーバ２４は、ＣＰＵ、ＭＰＵ等の演算手段、半導体メモリ、磁気ディスク等の記憶手段、通信するための通信手段等を備える一種のコンピュータであり、プログラムに従って動作を行い、通信ネットワーク３１及び３２を介して自動取引装置１１と通信を行い、各自動取引装置１１の動作を監視する。この場合、前記自動取引装置監視サーバ２４は、所定時間毎に各自動取引装置１１から稼働情報、取引情報、休止情報、故障情報、消耗品消費情報等の各種情報を取得し、取得した各種情報の集計、記憶等を行う。
【００３４】
そして、前記自動取引装置監視サーバ２４には自動取引装置監視端末２５が接続され、管理センタ２１のオペレータは、自動取引装置監視端末２５を操作することによって、各自動取引装置１１から取得した各種情報のモニタリングを行うことができる。また、いずれかの自動取引装置１１において故障が発生した場合、レシート用の媒体等の消耗品の残量が基準値以下になった場合等には、自動取引装置監視サーバ２４が警報を発生して、オペレータに通知することができる。
【００３５】
さらに、前記電子マネー管理サーバ２６は、ＣＰＵ、ＭＰＵ等の演算手段、半導体メモリ、磁気ディスク等の記憶手段、通信するための通信手段等を備える一種のコンピュータであり、プログラムに従って動作を行い、通信ネットワーク３１及び３２を介して自動取引装置１１と通信を行って利用者が電子マネーカードを使用した場合の取り引きを管理する。なお、前記電子マネー管理サーバ２６は、大型の汎用コンピュータのような単独のコンピュータによって構成されるものであってもよいし、分散型サーバのように複数のコンピュータを有機的に結合したものであってもよいし、大型のコンピュータ内に構築される複数のシステムの中の一つであってもよい。
【００３６】
また、前記通信ネットワーク３１及び３２は、無線又は有線の専用通信回線網又は公衆通信回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等、いかなる通信回線網であってもよく、これらを適宜組み合わせたものであってもよい。なお、前記通信ネットワーク３１及び３２は、専用通信回線網であることが望ましいが、公衆通信回線網を利用したＶＰＮ（Ｖｉｒｔｕａｌ  Ｐｒｉｖａｔｅ  Ｎｅｔｗｏｒｋ）であってもよい。さらに、前記通信ネットワーク３１及び３２は、必ずしも別個に構成されたものでなくてもよく、一体的に構成されたものであってもよい。
【００３７】
次に、前記構成の自動取引システム１０の動作について説明する。ここでは、ある電子マネーカードから他の電子マネーカードへのバリューの移し替えを行う動作についてのみ説明する。
【００３８】
図６は本発明の実施の形態における自動取引装置の操作画面の変遷を示す第１の図、図７は本発明の実施の形態における自動取引装置の操作画面の変遷を示す第２の図、図８は本発明の実施の形態における自動取引システムの動作を示すフローチャートである。
【００３９】
まず、自動取引装置１１は、初期状態としての操作待ちの状態になっており、表示装置１６の操作画面３５には、図６（ａ）に示されるように、操作待ち画面としての業務選択画面が表示されている。なお、表示装置１６は、入力装置１７の機能を兼ね備えるタッチパネルであるものとして説明する。そして、前記業務選択画面には、利用者に対して所望の業務を選択することを促す旨のメッセージとともに、業務選択手段として、「銀行業務」、「クレジット」、「ＩＣカード業務」等の選択可能な業務の種類を示すファンクションキー３６ａが表示されている。
【００４０】
そして、利用者が「ＩＣカード業務」のファンクションキー３６ａを押し下げてＩＣカード業務を選択すると、操作画面３５には、図６（ｂ）に示されるように、取引選択画面が表示される。該取引選択画面には、利用者に対して所望の取り引きを選択することを促す旨のメッセージとともに、取引選択手段として、「現金チャージ」、「ポイントチャージ」、「バリュー払い戻し」、「バリュー移し替え」等の選択可能な取り引きの種類を示すファンクションキー３６ｂ、及び、選択を取り消す取消手段としての取消ボタン３７が表示される。なお、現金チャージは現金を入金して該現金の金額に相当するバリューをチャージする取り引きであり、ポイントチャージはマイレージ等のように獲得したポイントに相当するバリューをチャージする取り引きである。
【００４１】
続いて、利用者が取引選択を行い、「バリュー移し替え」のファンクションキー３６ｂを押し下げてバリュー移し替えを選択すると、操作画面３５には、図６（ｃ）に示されるように、第１のカード挿入指示画面が表示される。該第１のカード挿入指示画面には、利用者に対してバリューの移し替え取り引きにおける移し替え元の電子マネーカードをカード処理装置１３のカードスロットに挿入することを促す旨のメッセージとともに、選択を取り消す取消手段としての取消ボタン３７が表示される。そして、利用者が移し替え元の電子マネーカードをカード処理装置１３のカードスロットに挿入すると、操作画面３５には、図６（ｄ）に示されるように、第２のカード挿入指示画面が表示される。該第２のカード挿入指示画面には、利用者に対してバリューの移し替え取り引きにおける移し替え先の電子マネーカードをカード処理装置１３のカードスロットに挿入することを促す旨のメッセージとともに、選択を取り消す取消手段としての取消ボタン３７が表示される。
【００４２】
続いて、利用者が移し替え先の電子マネーカードをカード処理装置１３のカードスロットに挿入してカード挿入が完了すると、自動取引装置１１は、カード判定を行い、利用者によって挿入された移し替え元の電子マネーカード及び移し替え先の電子マネーカードが取り引きの目的に合致したカードであるか否かを判断する。そして、目的に合致したカードでない場合、挿入された電子マネーカードをカードスロットから排出して利用者に返却し、操作待ちの状態に復帰する。
【００４３】
また、目的に合致したカードである場合、利用者の認証、すなわち、本人確認のために、操作画面３５には、図６（ｅ）に示されるように、暗証番号入力指示画面が表示される。該暗証番号入力指示画面には、利用者に対して挿入した電子マネーカードの暗証番号を入力することを促す旨のメッセージが表示される。
【００４４】
続いて、利用者がテンキー等を操作して暗証番号の入力を行うと、自動取引装置１１は、管理センタ２１に前記暗証番号とともにカード利用チェック要求を送信する。そして、電子マネー管理サーバ２６は、暗証番号とともにカード利用チェック要求を受信すると本人確認を行い、前記暗証番号に基づいて不正カードチェックを行い、使用された電子マネーカードが不正なカードであるか否かを判断する。そして、不正なカードである場合、電子マネーカードの情報を書き換え、当該電子マネーカードを使用不可状態とする。また、不正なカードでない場合、前記自動取引装置１１に対して、使用された電子マネーカードが真正なものであることを意味するカード利用チェック応答を返信する。
【００４５】
一方、操作画面３５には、利用者が暗証番号の入力を行うと、図７（ｆ）に示されるように、第１の待機要請画面が表示される。該第１の待機要請画面には、利用者に対してしばらく待機することを要請する旨のメッセージが表示される。そして、自動取引装置１１は、カード利用チェック応答を受信すると金額表示を行う。この場合、操作画面３５には、図７（ｇ）に示されるように、金額確認画面が表示される。該金額確認画面には、利用者に対して移し替えるバリュー値としての金額を確認することを促す旨のメッセージ、及び、移し替えるバリュー値としての金額とともに、選択を取り消す取消手段としての取消ボタン３７及び確認手段としての確認ボタン３８が表示される。
【００４６】
続いて、利用者が確認ボタン３８を押し下げて金額確認を行うと、自動取引装置１１は、管理センタ２１に、移し替え要求を送信する。そして、電子マネー管理サーバ２６は、移し替え要求を受信すると、該移し替え要求に基づいて電子マネーの管理情報の更新を行い、前記自動取引装置１１に対して、移し替え応答を返信する。
【００４７】
一方、操作画面３５には、利用者が金額確認を行うと、図７（ｈ）に示されるように、第２の待機要請画面が表示される。該第２の待機要請画面には、利用者に対してしばらく待機することを要請する旨のメッセージが表示される。そして、自動取引装置１１は、移し替え応答を受信すると移し替えのための情報更新を行う。この場合、自動取引装置１１は、移し替え元の電子マネーカードのＩＣに記憶されているバリュー値を自動取引装置１１自体の記憶手段に保持した後、前記移し替え元の電子マネーカードのＩＣに記憶されているバリュー値を０にする。そして、自動取引装置１１自体の記憶手段に保持したバリュー値を、移し替え先の電子マネーカードのＩＣに書き込む。なお、該移し替え先の電子マネーカードのＩＣに既にバリュー値が記憶されている場合には、該バリュー値に自動取引装置１１自体の記憶手段に保持したバリュー値を加算する。
【００４８】
続いて、自動取引装置１１はカード及びレシートの排出を行う。この場合、まず、移し替え先の電子マネーカードをカード処理装置１３のカードスロットから排出する。そして、操作画面３５には、図７（ｉ）に示されるように、第１のカード受取指示画面が表示される。該第１のカード受取指示画面には、利用者に対して移し替え先の電子マネーカードをカードスロットから受け取ることを促す旨のメッセージが表示される。
【００４９】
そして、利用者が移し替え先の電子マネーカードを受け取ると、自動取引装置１１は、移し替え元の電子マネーカード及びレシートをカード処理装置１３のカードスロットから排出する。また、操作画面３５には、図７（ｊ）に示されるように、第２のカード受取指示画面が表示される。該第２のカード受取指示画面には、利用者に対して移し替え元の電子マネーカード及びレシートをカードスロットから受け取ることを促す旨のメッセージが表示される。
【００５０】
続いて、利用者が移し替え元の電子マネーカード及びレシートを受け取ると、自動取引装置１１は操作待ちの状態に復帰する。なお、前記移し替え元の電子マネーカードが、有効期限を経過したクレジットカード兼用の電子マネーカードのようなものである場合、自動取引装置１１は、前記移し替え元の電子マネーカードを、破棄してもよいものと判断し、自動取引装置１１内に回収し、カードスロットから排出しない。
【００５１】
次に、フローチャートについて説明する。
ステップＳ１  自動取引装置１１は操作待ち画面を表示する。
ステップＳ２  利用者は取引を選択する。
ステップＳ３  利用者はカードを挿入する。
ステップＳ４  自動取引装置１１はカード判定をする。
ステップＳ５  利用者は暗証番号を入力する。
ステップＳ６  管理センタ２１は不正カードチェックをする。
ステップＳ７  自動取引装置１１は金額を表示する。
ステップＳ８  利用者は金額を確認する。
ステップＳ９  管理センタ２１は電子マネーの管理情報の更新をする。
ステップＳ１０  自動取引装置１１は情報を更新する。
ステップＳ１１  自動取引装置１１はカード及びレシートを排出する。
ステップＳ１２  自動取引装置１１は操作待ち画面を表示する。
【００５２】
このように、本実施の形態において、自動取引装置１１が移し替え元の電子マネーカードにチャージされているバリューを移し替え先の電子マネーカードに移し替える機能を有しているので、利用者は、自動取引装置１１に移し替え元の電子マネーカード及び移し替え先の電子マネーカードを挿入し、自動取引装置１１を操作して１回の取り引きを行うことによって、移し替え元の電子マネーカードから移し替え先の電子マネーカードにバリューを移し替えることができる。そのため、利用者は、容易に、かつ、短時間でバリューの移し替えを行うことができ、煩わしく感じることがなく、かつ、時間を節約することができる。
【００５３】
また、利用者は、バリューの移し替えを金融機関の支店等の窓口に依頼する必要がないので、窓口の営業時間や設置場所による制約を受けることがなく、所望の時間帯に所望の場所でバリューの移し替えを行うことができる。さらに、電子マネーシステムを運用する者の業務負担が増大することがない。
【００５４】
なお、本発明は前記実施の形態に限定されるものではなく、本発明の趣旨に基づいて種々変形させることが可能であり、それらを本発明の範囲から排除するものではない。
【図面の簡単な説明】
【００５５】
【図１】本発明の実施の形態におけるシステムの全体の構成を示す図である。
【図２】従来の自動取引装置におけるバリューの移し替えの動作を示す第１の図である。
【図３】従来の自動取引装置におけるバリューの移し替えの動作を示す第２の図である。
【図４】従来の自動取引装置におけるバリューの移し替えの動作を示す第３の図である。
【図５】本発明の実施の形態における自動取引装置の構成を示す図である。
【図６】本発明の実施の形態における自動取引装置の操作画面の変遷を示す第１の図である。
【図７】本発明の実施の形態における自動取引装置の操作画面の変遷を示す第２の図である。
【図８】本発明の実施の形態における自動取引システムの動作を示すフローチャートである。
【符号の説明】
【００５６】
１１、１１ａ、１１ｂ、１１ｃ、１１ｄ、１１ｅ、１１ｆ、１１ｇ    自動取引装置
１３    カード処理装置
１６    表示装置
１７    入力装置
２１    管理センタ
２６    電子マネー管理サーバ
【図１】
2006350877.tif 000003
【図２】
2006350877.tif 000004
【図３】
2006350877.tif 000005
【図４】
2006350877.tif 000006
【図５】
2006350877.tif 000007
【図６】
2006350877.tif 000008
【図７】
2006350877.tif 000009
【図８】
2006350877.tif 000010